(57)【要約】【課題】熱交換効率の高い熱交換器及びそれを用いた省エネ性の高い冷凍システムの提供。【解決手段】一対のヘッダ流路８，９と、前記一対のヘッダ流路８，９の間に複数の伝熱流路７とを有するプレートフィン２を多数積層して構成した熱交換器において、前記プレートフィン２は菱形形状としてその端部に前記ヘッダ流路８，９を設けた構成としてある。これにより、熱交換器を傾斜状態にして設けた場合のプレートフィンのヘッダ領域が空気等の被熱交換流体の流れと略並行状態となって熱交換器全体に占める割合を少なくすることができる。つまり、熱交換器の伝熱流路領域が占める寸法を長くして熱交換器全体に対する伝熱流路領域、すなわち、熱交換可能領域の割合を増加させることができ、熱交換効率を向上させることができる。【選択図】図４
2019100565.tif 000002
【特許請求の範囲】
【請求項１】
一対のヘッダ流路と、前記一対のヘッダ流路の間に複数の伝熱流路とを有するプレートフィンを多数積層して構成した熱交換器において、前記プレートフィンは菱形形状とした熱交換器。
【請求項２】
伝熱流路はＵターンする形状として一対のヘッダ流路をプレートフィンの一端部側に纏めて設けた請求項１記載の熱交換器。
【請求項３】
ヘッダ流路は流路周りの適所から連絡流路を導出形成し、この連絡流路の端部に分岐流路を介して伝熱流路を設けるとともに、前記連絡流路の流路壁面一部に凹所を形成して相対向するプレートフィンの連絡流路壁面同士間に隙間を形成した請求項１または２記載の熱交換器。
【請求項４】
冷凍サイクルを構成する熱交換器を前記請求項１〜第３のいずれか１項に記載の熱交換器とした冷凍システム。
【発明の詳細な説明】
【技術分野】
【０００１】
本発明は熱交換器及びそれを用いた冷凍システムに関し、特に、一対のヘッダ流路の間を多数の伝熱流路で接続した多パス型の熱交換器及びそれを用いた冷凍システムに関する。
【背景技術】
【０００２】
一般に空気調和機等の冷凍システムは、圧縮機によって圧縮した冷媒を凝縮器や蒸発器等の熱交換器に循環させ、被熱交換流体と熱交換させて冷房もしくは暖房を行うが、前記熱交換器の熱交換効率によって冷凍システムの性能や省エネ性が大きく左右される。従って、熱交換器は高効率化が強く求められている。
【０００３】
このような中にあって、空気調和機等の冷凍システムの熱交換器は、一般的には、フィン群に伝熱管を貫通させて構成したフィンチューブ型熱交換器が用いられており、その伝熱管の細径化を図って熱交換効率の向上及び小型化が進められている。
【０００４】
しかしながら、上記伝熱管の細径化には限度があるため、熱交換効率の向上及び小型化は限界に近づきつつある。
【０００５】
一方、熱エネルギーを交換するために使用される熱交換器の中には、伝熱流路を有するプレートフィンを積層して構成したプレートフィン積層型熱交換器が知られている。
【０００６】
このプレートフィン積層型熱交換器は、プレートフィンの中に形成された流路を流れる流体と、積層されたプレートフィンの間を流れる第２流体との間で熱交換を行うもので、車両用の空気調和機などにおいて広く用いられている（特許文献１参照）。
【０００７】
図１２、図１３は上記特許文献１記載の多パス型熱交換器を示し、この熱交換器１００は、入口側のヘッダ流路１０１及び出口側のヘッダ流路１０２とこれらの間を接続する伝熱流路１０３を設けたプレートフィン１０４を多数積層して構成してある。そして、上記プレートフィン１０４は間隙おいて積層し、この間隙を流れる空気と前記伝熱流路１０３を流れる冷媒との間で熱交換するようになっている。
【先行技術文献】
【特許文献】
【０００８】
【特許文献１】特許第３９６５９０１号公報
【発明の概要】
【発明が解決しようとする課題】
【０００９】
上記多パス型熱交換器は伝熱流路１０３を凹条溝によって形成することができるのでフィンチューブ型熱交換器の伝熱管に比べ細径化でき、小型で高効率な熱交換器とすることができる。
【００１０】
しかしながら、上記多パス型熱交換器を家庭用の空気調和機に用いると、上記多パス型熱交換器が持つ高い熱交換効率を十分生かすことができない、という課題があった。
【００１１】
すなわち、出願人は上記構成の多パス型熱交換器を家庭用の空気調和機、より具体的には壁掛け式の室内機に組み込んで使用することを試みているが、その場合、熱交換器は傾斜状態に設置することになる。そのため、特許文献１記載の多パス型熱交換器を用いると
、空気の流れに対する入口側のヘッダ流路１０１及び出口側のヘッダ流路１０２が占める面積が大きくなる。
【００１２】
図１３は上記多パス型熱交換器を直立設置した場合（ａ）と傾斜設置した場合（ｂ）のヘッダ領域の寸法差を示すが、（ａ）の直立設置した場合のヘッダ領域寸法ｌに対し  （ｂ）の傾斜設置した場合のヘッダ領域寸法はＬとなって大きくなっていることがわかる。
【００１３】
ここで、上記入口側のヘッダ流路１０１及び出口側のヘッダ流路１０２が設けてあるヘッダ領域は空気が流れることができず非熱交換領域となっている。つまり、熱交換器全体の寸法に対するヘッダ領域、すなわち、非熱交換領域寸法が大きくなっている。したがって、熱交換器全体の寸法に対する伝熱流路領域、すなわち、熱交換可能領域の寸法が小さくなり、多パス型熱交換器が持つ高い熱交換効率を十分生かすことができなくなる、ということになる。
【００１４】
本発明はこのような点に鑑みてなしたもので、多パス型熱交換器が持つ高い熱交換性能を十分生かすことが可能な熱交換器とそれを用いた高性能な空気調和機等の冷凍システムを提供することを目的としたものである。
【課題を解決するための手段】
【００１５】
本発明は、上記目的を達成するため、一対のヘッダ流路と、前記一対のヘッダ流路の間に設けた複数の伝熱流路とを有するプレートフィンを多数積層して構成した熱交換器において、前記プレートフィンは菱形形状とした構成としてある。
【００１６】
これにより、熱交換器を傾斜状態にして設けた場合のプレートフィンのヘッダ領域が空気等の被熱交換流体の流れと略平行状態となって熱交換器全体に占める割合を少なくすることができる。つまり、熱交換器の伝熱流路領域が占める寸法を長くして熱交換器全体に対する伝熱流路領域、すなわち、熱交換可能領域の割合を増加させることができ、熱交換効率を向上させることができる。
【発明の効果】
【００１７】
本発明は、上記構成により、多パス型熱交換器が持つ高い熱交換効率を生かした高性能な熱交換器とそれを用いた省エネ性の高い冷凍システムを提供することができる。
【図面の簡単な説明】
【００１８】
【図１】本発明の実施の形態１における熱交換器の外観を示す斜視図
【図２】同熱交換器を分離した状態で示す分解斜視図
【図３】同熱交換器のプレートフィン積層体の要部を示す斜視図
【図４】同熱交換器を構成するプレートフィンの平面図
【図５】同熱交換器を構成するプレートフィンの構成の一部を拡大して示す分解図
【図６】同熱交換器におけるヘッダ流路部分を拡大して示す平面図
【図７】（ａ）同熱交換器のプレートフィンを長方形状とした時の空気調和機に対する設置状態を示す説明図、（ｂ）同プレートフィンを菱形形状とした時の空気調和機に対する設置状態を示す説明図
【図８】図６のＡ−Ａ断面図
【図９】図６のＢ−Ｂ断面図
【図１０】本発明の熱交換器を用いた実施の形態２における冷凍システムの一例として示す空気調和機の冷凍サイクル図
【図１１】同空気調和機の概略断面図
【図１２】従来のプレートフィン積層型熱交換器の断面図
【図１３】同従来のプレートフィン積層型熱交換器におけるプレートフィンの設置状態を示す説明図
【発明を実施するための形態】
【００１９】
第１の発明は、熱交換機であり、この熱交換器は、一対のヘッダ流路と、前記一対のヘッダ流路の間に複数の伝熱流路とを有するプレートフィンを多数積層して構成した熱交換器において、前記プレートフィンは菱形形状とした構成としてある。
【００２０】
これにより、熱交換器を傾斜状態にして設けた場合のプレートフィンのヘッダ領域が空気等の被熱交換流体の流れと略平行状態となって熱交換器全体に占める割合を少なくすることができる。つまり、熱交換器の伝熱流路領域が占める寸法を長くして熱交換器全体に対する伝熱流路領域、すなわち、熱交換可能領域の割合を増加させることができ、熱交換効率を向上させることができる。
【００２１】
第２の発明は、第１の発明において、前記伝熱流路はＵターンする形状として一対のヘッダ流路をプレートフィンの一端部側に纏めて設けた構成としてある。
【００２２】
これにより、ヘッダ領域のような非熱交換領域をプレートフィンの一端部側のみとして熱交換効率を高めることができるとともに、熱交換器を傾斜設置した際に生じる熱交換可能領域、すなわち、熱交換器全体の寸法に対する伝熱流路領域を更に増加させて熱交換効率を高めることができ、熱交換効率を大きく向上させることができる。
【００２３】
第３の発明は、第１又は第２の発明において、前記ヘッダ流路は流路周りの適所から連絡流路を導出形成し、この連絡流路の端部に分岐流路を介して伝熱流路を設けるとともに、前記連絡流路の流路壁面一部に凹所を形成して相対向するプレートフィンの連絡流路壁面同士間に隙間を形成した構成としてある。
【００２４】
これにより、分岐流路の分岐数を増やして伝熱流路数を増加させることができるとともに、連絡流路に設けた凹所により形成される隙間を介してプレートフィン積層間を流れる被熱交換流体もヘッダ流路周りを流れる熱交換可能領域とすることができる。よって、プレートフィンを菱形形状としたことと相まって更に熱交換効率を向上させることができ、小型高性能な熱交換器とすることができる。
【００２５】
第４の発明は、冷凍システムであり、この冷凍システムは冷凍サイクルを構成する熱交換器を前記第１〜第３のいずれかの発明の熱交換器としたものである。
【００２６】
これにより、この冷凍システムは、熱交換器を傾斜状態に設置してもその熱交換可能領域が長いので、熱交換器そのものが持つ高い熱交換効率を生かして省エネ性の高い高性能な冷凍システムとすることができる。
【００２７】
以下、本発明の実施の形態について、添付の図面を参照しながら説明する。
【００２８】
なお、本開示の熱交換器は、以下の実施形態に記載した熱交換器の構成に限定されるものではなく、以下の実施形態において説明する技術的思想と同等の熱交換器の構成を含むものである。
【００２９】
（実施の形態１）
図１は本発明の実施の形態１における熱交換器の外観を示す斜視図、図２は同熱交換器を分離した状態で示す分解斜視図、図３は同熱交換器のプレートフィン積層体の要部を示す斜視図である。
【００３０】
図１〜図３において、本実施形態の熱交換器１は、複数のプレートフィン２と、プレートフィン２の積層方向の両側（図では左側及び右側）に配したエンドプレート３ａ、３ｂとを備え、前記両側のエンドプレート３ａ、３ｂをボルト等の締結手段３ｃにより連結固定して構成してあり、蒸発器として用いる場合には入口となり凝縮器として用いる場合は出口となる管４及びその逆となる管５とを有している。なお、本実施の形態では、熱交換器を蒸発器として使用する場合を例にして説明するので、管４を上流管４、管５を下流管５として説明する。
【００３１】
上記プレートフィン２を積層して構成した熱交換器１は、図７に示すように冷凍システムの一例として示す空気調和機に搭載して使用するが、その際熱交換器１は傾斜状態に設置することになる。そのためこの熱交換器１を構成するプレートフィン２は図４に示すように菱形形状としてある。
【００３２】
以下、上記プレートフィン２の構成を詳述する。
【００３３】
図４は熱交換器を構成するプレートフィンの平面図、図５は同熱交換器を構成するプレートフィンの構成の一部を拡大して示す分解図、図６は同熱交換器におけるヘッダ流路部分を拡大して示す平面図、図７（ａ）は同熱交換器のプレートフィンを菱形形状とした時の空気調和機に対する設置状態を示す説明図、（ｂ）は同プレートフィンを長方形状とした時の空気調和機に対する設置状態を示す説明図、図８は図６のＡ−Ａ断面図、図９は図６のＢ−Ｂ断面図である。
【００３４】
図４〜図９おいて、上記プレートフィン２は、既述したように菱形形状に形成してあり、内部に第１流体である冷媒が流れる複数の並行した伝熱流路（以下、冷媒流路と称す）７とこれに繋がり蒸発器として用いる場合には入口となり凝縮器として用いる場合は出口となるヘッダ流路８（以下、上流ヘッダ流路８と称す）及びその逆となるヘッダ流路９（以下、下流ヘッダ流路９と称す）を形成した一対の板状部材２ａ、２ｂ（図５参照）を向い合せにロウ付け接合して構成してある。そして、上記複数の冷媒流路７は略Ｕ字状に形成されていてこれに繋がる下流ヘッダ流路９と上流ヘッダ流路８とが一端部側に纏まった形となっている。すなわち、下流ヘッダ流路９と上流ヘッダ流路８を設けたヘッダ領域Ｈ（図４参照）は冷媒流路７を設けた伝熱領域Ｐ（図４参照）の一端部側のみとなる構成としてある。
【００３５】
上記構成のプレートフィン２は、図３に示すように多数積層して熱交換器の主体をなすプレートフィン積層体６を構成しており、上記上流ヘッダ流路８及び下流ヘッダ流路９が図１に示すように水平ヘッダとなるような形で使用され、各プレートフィン２同士の間には当該プレートフィン２の長辺両端部及び冷媒流路７間に適宜設けた複数の突起１０（図５参照）によって第２流体である空気が流れる隙間を形成している。
【００３６】
また、上記プレートフィン２に設けた上流ヘッダ流路８及び下流ヘッダ流路９は、図５に示すように、そのヘッダ流路周りの適所から連絡流路１１が導出形成してある。そして、前記連絡流路１１は分岐流路１２を介して前記冷媒流路７に接続してある。つまり、上流ヘッダ流路８及び下流ヘッダ流路９と冷媒流路７との間に連絡流路１１と分岐流路１２を設けることによって、冷媒流路７の数、すなわちパス数を多くし、かつ、多くした冷媒流路７に円滑に冷媒を流すことができるようにしてある。
【００３７】
そして、上記冷媒流路７は板状部材２ａ、２ｂに凹状溝によって形成してあり、容易に細径化できるようになっている。
【００３８】
一方、上記上流ヘッダ流路８の流路周りから導出形成した連絡流路１１は、図６の矢印
Ｘで示すプレートフィン積層間を流れる空気の流れに交差する形となっている。したがって、上記連絡流路１１はその流路壁面一部に凹所Ａ１４を形成して相対向するプレートフィン２の連絡流路壁面同士間に隙間Ａ１５（図８参照）を形成してある。そして、上記凹所Ａ１４を設けた流路部分は他の流路部分の幅よりも広い幅とした構成としてある。
【００３９】
また、分岐流路１２もプレートフィン積層間を流れる空気の流れに対して傾斜した形となっている。したがってこの分岐流路１２にもこの場合は図９に示すようにその流路壁面数か所に凹所Ｂ１６を形成して相対向するプレートフィン２の分岐流路壁面同士間に隙間Ｂ１７を形成してある。そして、上記凹所Ｂ１６を設けた流路部分は前記連絡流路１１の凹所Ａ１４と同様に他の流路部分の幅よりも広い幅とした構成としてある。
【００４０】
なお、上記冷媒流路７のうち上流ヘッダ流路８に繋がる上流ヘッダ流路側冷媒流路７ｂと下流ヘッダ流路９に繋がる下流ヘッダ流路側冷媒流路７ａとの間にはこれら両者間の熱移動を防止すべくスリット溝１８（図４参照）が形成してある。
【００４１】
また、この例では、上記上流ヘッダ流路側冷媒流路７ｂは本数を多くし図５に示すように上流ヘッダ流路８の連絡流路１１と対向する部分は冷媒流路７のない無孔部１３として上流ヘッダ流路８から各上流ヘッダ流路側冷媒流路７ｂへと流れる冷媒が分岐流路１２の無孔部１３の壁部に衝突して各上流ヘッダ流路側冷媒流路７ｂへ均等に流れるように構成してある。
【００４２】
以上のように構成した熱交換ユニットについて、次にその作用効果を説明する。
【００４３】
上記実施形態のプレートフィン積層型熱交換器は、上流ヘッダ流路８に流入した冷媒がプレートフィン積層体６の各プレートフィン２の内部の冷媒流路７群を並行に流れＵターンして下流ヘッダ流路９から下流管５を介して排出される。
【００４４】
一方、空気は、プレートフィン積層体６を構成するプレートフィン２の積層間に形成された間隙を通り抜ける。これにより第１流体である冷媒と第２流体である空気との熱交換が行われる。
【００４５】
上記のようにして熱交換を行う本実施形態の熱交換器１は、図７に示すように空気調和機本体２０の送風機２１に対し傾斜状態に設置して使用することになる。なお、図中２２はフィルターであり、上記送風機２１は上記フィルター２２を介して室内から空気を吸引しこの空気を熱交換器１で熱交換して空気調和機本体２０の吹出口２３から吹き出すようになっている。
【００４６】
ここで、上記熱交換器１を構成するプレートフィン２は菱形形状としてあるから、傾斜状態に設置した際、その短辺は水平状態となる。したがって、プレートフィン２の短辺側端部に設けた上流ヘッダ流路８及び下流ヘッダ流路９も略水平の横並び状態となる。よって、図７の（ａ）で示すようにその上流ヘッダ流路８及び下流ヘッダ流路９が設けてあるヘッダ領域Ｈの寸法ｌ１は、（ｂ）の長方形状としたプレートフィン２の伝熱領域Ｐの寸法Ｌ１に比べ狭くなる。
【００４７】
換言すると、図７の（ａ）で示す菱形形状としたプレートフィン２の場合の冷媒流路７が設けてある伝熱領域Ｐの垂直方向の寸法Ｌ２は、（ｂ）の長方形状とした場合の伝熱領域Ｐの寸法ｌ２より大きくなる。
【００４８】
つまり、熱交換器１の伝熱領域Ｐが占める寸法を長くして熱交換器全体に対する伝熱領域Ｐ、すなわち、熱交換可能領域の割合を増加させることができ、熱交換効率を向上させ
ることができる。
【００４９】
また、本実施の形態の熱交換器１の冷媒流路７はＵターンする形状として一対のヘッダ流路８，９をプレートフィン２の一端部側に纏めて設けてあるから、ヘッダ領域Ｈのような非熱交換領域をプレートフィン２の一端部側のみとして熱交換可能領域を広げることができるとともに、熱交換器１を傾斜設置したことによって生じる伝熱領域Ｐ（熱交換可能領域）の増加分を加えて更に熱交換効率を高めることができ、熱交換効率を大きく向上させることができる。
【００５０】
また、上記冷媒流路７は連絡流路１１の端部に分岐流路１２を設けて形成しているので、分岐流路１２の分岐数を増やして冷媒流路７の数を増加させることができる。したがって、冷媒流路７を凹溝によって形成することによる細径化とともに冷媒流路７数を増加させて、熱交換効率を更に大きく向上させることができる。
【００５１】
一方、上記熱交換器１は、冷媒流路数を増やすべく上流ヘッダ流路８から連絡流路１１を引き出して分岐流路１２を介し冷媒流路７を設けた構成としたことにより、前記連絡流路１１がプレートフィン積層間隙を流れる空気流れの障害となり、その分熱交換効率の低下をきたすことになる。
【００５２】
しかしながら、本実施の形態では、前記連絡流路１１の流路壁面一部に凹所Ａ１４を形成して相対向するプレートフィンの連絡流路壁面同士間に隙間Ａ１５を形成してあるから、プレートフィン積層間隙を流れる空気は図６の矢印Ｘで示すように上記凹所Ａ１４によって形成される隙間Ａ１５（図８参照）を円滑に流れるようになる。よって、当該部分も熱交可能領域とすることができ、熱交換効率の低下を抑制し高い熱交換効率を実現することができる。
【００５３】
また、本実施の形態では、上記連絡流路１１と同様、プレートフィン積層間隙を流れる空気に対して傾斜状態となっている分岐流路１２にもその流路壁面数か所に凹所Ｂ１６を形成して隣接する分岐流路壁面同士間に隙間Ｂ１７を形成した構成としてあるので、この分岐流路１２の数か所の凹所Ｂ１６（図９参照）を介してもヘッダ領域Ｈ部分側へと空気が流れる。
【００５４】
よって、熱交換器１の冷媒流路７の割合を増やすと同時にヘッダ領域Ｈ部分への空気の流れ込みを更に円滑なものとすることができ、プレートフィン２を菱形形状にしたことと相まって熱交換効率を大きく向上させることができる。
【００５５】
また、このような構成とすることによって、ヘッダ領域Ｈ部分をも熱交換可能領域として活用できるので、本実施の形態で示すように、ヘッダ領域Ｈの上流ヘッダ流路８と下流ヘッダ流路９を長辺（上下）方向にずらせてプレートフィン２の短辺方向幅を短くし、熱交換器１を小型化すると同時にプレートフィン２間を流れる空気の抵抗を少なくすることができ、小型高性能な熱交換器とすることができる。
【００５６】
なお、上記熱交換器１の連絡流路１１の凹所Ａ１４及び分岐流路１２の凹所Ｂ１６を設けた流路部分は他の流路部分の幅よりも広い幅としてあるから、凹所Ａ１４，Ｂ１６を設けることによって減少する流路面積を幅広とした流路部分で補完することができる。したがって、凹所Ａ１４，Ｂ１６を設けたことによって冷媒の流れに支障をきたすようなことがなく、冷媒の流れを円滑なものとして良好な熱交換性能を確保することができる。
【００５７】
また、上記上流ヘッダ流路８は連絡流路１１を介して冷媒流路７と接続しているので、上流ヘッダ流路８内で冷媒の気液分布が偏るなどのことがあっても、この気冷媒と液冷媒
は連絡流路１１で合流して冷媒流路７へと流れる。したがって、上流ヘッダ流路８から冷媒流路７への冷媒は略均等に分流させることができ、熱交換ムラを抑制して熱交換効率を向上させることができる。
【００５８】
特に冷媒分流の均等化は、上記分岐流路１２に対する連絡流路１１の連通位置を調節しておくことによって分流調整できるので、より均等に各冷媒流路７に冷媒を分流させることができ、効果的である。
【００５９】
（実施の形態２）
本実施の形態２は、先に示した実施の形態１の熱交換器を用いて構成した冷凍システムである。
【００６０】
図１０は冷凍システムの一例として示す空気調和機の冷凍サイクル図、図１１は同空気調和機の室内機を示す概略断面図である。
【００６１】
図１０、図１１において、この空気調和装置は、室外機５１と、室外機５１に接続された室内機５２から構成されている。室外機５１には、冷媒を圧縮する圧縮機５３、冷房暖房運転時の冷媒回路を切り替える四方弁５４、冷媒と外気の熱を交換する室外熱交換器５５、冷媒を減圧する減圧器５６、室外送風機５９が配設されている。また、室内機５２には、冷媒と室内空気の熱を交換する室内熱交換器５７と、室内送風機５８とが配設されている。そして、前記圧縮機５３、四方弁５４、室内熱交換器５７、減圧器５６、室外熱交換器５５を冷媒回路で連結してヒートポンプ式冷凍サイクルを形成している。
【００６２】
本実施形態による冷媒回路には、テトラフルオロプロペンまたはトリフルオロプロペン、ジフルオロメタンまたはペンタフルオロエタンまたはテトラフルオロエタンを、単体、もしくはそれぞれ２成分混合または３成分混合した冷媒を使用している。
【００６３】
上記空気調和機は、冷房運転時には、四方弁５４を圧縮機５３の吐出側と室外熱交換器５５とが連通するように切り換える。これにより、圧縮機５３によって圧縮された冷媒は高温高圧の冷媒となって四方弁５４を通って室外熱交換器５５に送られる。そして、外気と熱交換して放熱し、高圧の液冷媒となり、減圧器５６に送られる。減圧器５６では減圧されて低温低圧の二相冷媒となり、室内機５２に送られる。室内機５２では、冷媒は室内熱交換器５７に入り室内空気と熱交換して吸熱し、蒸発気化して低温のガス冷媒となる。この時室内空気は冷却されて室内を冷房する。さらに冷媒は室外機５１に戻り、四方弁５４を経由して圧縮機５３に戻される。
【００６４】
暖房運転時には、四方弁５４を圧縮機５３の吐出側と室内機５２とが連通するように切り換える。これにより、圧縮機５３によって圧縮された冷媒は高温高圧の冷媒となって四方弁５４を通り、室内機５２に送られる。高温高圧の冷媒は室内熱交換器５７に入り、室内空気と熱交換して放熱し、冷却され高圧の液冷媒となる。この時、室内空気は加熱されて室内を暖房する。その後、冷媒は減圧器５６に送られ、減圧器５６において減圧されて低温低圧の二相冷媒となり、室外熱交換器５５に送られて外気と熱交換して蒸発気化し、四方弁５４を経由して圧縮機５３へ戻される。
【００６５】
上記のように構成された空気調和機は、その室外熱交換器５５或いは室内熱交換器５７の一方もしくは双方に前記各実施の形態で示した熱交換器を使用することにより、高い熱交換効率を発揮することになり、省エネ性の高い高性能な冷凍システムとすることができる。
【００６６】
以上、本発明に係る熱交換器およびそれを用いた冷凍システムについて、上記実施の形
態を用いて説明したが、本発明は、これに限定されるものではない。例えば、本実施の形態では、熱交換器を用いた冷凍システムとして空気調和機を例にして説明したが、熱交換器を傾斜設置して使用する機器であれば冷蔵庫やショーケース、ヒートポンプ給湯器等のような冷凍システムであってもよいものである。つまり、今回開示した実施の形態はすべての点で例示であって制限的なものではないと考えられるべきであり、本発明の範囲は上記した説明ではなくて特許請求の範囲によって示され、特許請求の範囲と均等の意味及び範囲内でのすべての変更が含まれることが意図される。
【産業上の利用可能性】
【００６７】
本発明は、熱交換効率が高い熱交換器及びそれを用いた省エネ性の高い冷凍システムを提供することができる。よって、家庭用及び業務用エアコン等に用いる熱交換器や各種冷凍機器等に幅広く利用でき、その産業的価値は大なるものがある。
【符号の説明】
【００６８】
１  熱交換器
２  プレートフィン
２ａ  第１板状部材
２ｂ  第２板状部材
３ａ、３ｂ  エンドプレート
３ｃ  締結手段
４  上流管（管）
５  下流管（管）
６  プレートフィン積層体
７  伝熱流路（冷媒流路）
７ａ  下流ヘッダ流路側冷媒流路
７ｂ  上流ヘッダ流路側冷媒流路
８  上流ヘッダ流路
９  下流ヘッダ流路
１０  突起
１１  連絡流路
１２  分岐流路
１３  無孔部
１４  凹所Ａ
１５  隙間Ａ
１６  凹所Ｂ
１７  隙間Ｂ
１８  スリット溝
２０  空気調和機本体
２１  送風機
２２  フィルター
２３  吹出口
５１  室外機
５２  室内機
５３  圧縮機
５４  四方弁
５５  室外熱交換器
５６  減圧器
５７  室内熱交換器
５８  室内送風機
Ｈ  ヘッダ領域
Ｐ  伝熱領域
【図１】
2019100565.tif 000003
【図２】
2019100565.tif 000004
【図３】
2019100565.tif 000005
【図４】
2019100565.tif 000006
【図５】
2019100565.tif 000007
【図６】
2019100565.tif 000008
【図７】
2019100565.tif 000009
【図８】
2019100565.tif 000010
【図９】
2019100565.tif 000011
【図１０】
2019100565.tif 000012
【図１１】
2019100565.tif 000013
【図１２】
2019100565.tif 000014
【図１３】
2019100565.tif 000015